(57)【要約】【課題】断電警告表示効果を備えるカットアウトを提供する。【解決手段】主に断電警告表示効果を備えるカットアウトは横板及び二枚の側板を備える筐体、二枚の導電板及び連接部を備える安全ユニット、収納部中に設置する二極式発光ダイオードを含む。前記横板は収納部を備え、前記収納部両側には位置決穴を備える。前記各側板間には前記収納部及び前記位置決穴と連通する嵌合溝を備える。前記安全ユニットは前記嵌合溝に設置後、前記各導電板の一部分は前記側板両側に露出し、かつ前記各導電板一端縁には前記位置決穴と挿入接続する凸状部を備える。前記連接部と前記凸状部に隣接する位置には、それぞれ相互に対応するピンと固定用穴を備える。前記二極式発光ダイオードの一面には発光部を備え、反対面には連接ピンの導通部を備える。これにより、カットアウトに断電警告表示の効果を備えさせることができ、必要な装置上に安定的に固定、設置する機能と効果を達成することができる。【選択図】図１
0003135433.tif 000002
【実用新案登録請求の範囲】
【請求項１】
主に断電警告表示効果を備えるカットアウトは筐体、安全ユニット、二極式発光ダイオードを含み、
前記筐体の上端には横板を備え、前記横板の中央位置には収納部を備え、前記収納部の両側にはそれぞれ位置決穴を備え、しかも前記横板一端面の両側縁中央位置にはそれぞれ側板を設置し、前記各側板の間には前記収納部及び前記位置決穴と連通する嵌合溝を備え、
前記安全ユニットは少なくとも二枚の導電板、及び前記二枚の導電板に接合する接合部を備え、これにより前記安全ユニットは前記筐体の嵌合溝に設置された後、前記各導電板の一部は前記側板の両側において露出し、しかも前記各導電板の一端縁には前記位置決穴と対応し、挿入接続する凸状部を備え、前記凸状部に隣接する適切な位置には相互に対応するピンを備え、前記各導電板の前記接合部と前記凸状部に隣接する適切な位置にはそれぞれ固定用穴を備え、
前記二極式発光ダイオードは、前記筐体の収納部中に設置し、しかも前記二極式発光ダイオードの一面には前記収納部と対応する発光部を備え、反対面にはそれぞれ前記各導電板に設置するピンと接合する導通部を備える、ことを特徴とする断電警告表示効果を備えるカットアウト。
【請求項２】
前記筐体は、ややＴ字型を有することを特徴とする請求項１記載の断電警告表示効果を備えるカットアウト。
【請求項３】
前記筐体は、光透過材質であることを特徴とする請求項１記載の断電警告表示効果を備えるカットアウト。
【請求項４】
前記筐体の少なくとも収納部は、光透過材質であることを特徴とする請求項１記載の断電警告表示効果を備えるカットアウト。
【請求項５】
前記横板と前記側板の周縁には延伸部を接合することを特徴とする請求項１記載の断電警告表示効果を備えるカットアウト。
【請求項６】
前記二極式発光ダイオード中には、それぞれ前記各導通部とピンを接合する分圧抵抗器を備えることを特徴とする請求項１記載の断電警告表示効果を備えるカットアウト。
【考案の詳細な説明】
【技術分野】
【０００１】
本考案は、一種の断電警告表示効果を備えるカットアウトに関する。特に一種のカットアウトに断電警告表示の効果を備えさせることができ、必要な装置上に安定的に固定、設置が可能な機能と効果を達成することができる、断電警告表示効果を備えるカットアウトに係る。
【背景技術】
【０００２】
一般のカットアウトは、図７に示すように、筐体５、前記筐体５中に設置し、しかも一部が前記筐体５一端に延伸し露出する端子６、及び前記二個の端子６に接合するヒューズ（図示なし）により構成する。前記カットアウトは二個の端子６と電子装置の連接台７を利用して、挿入接続し、電流が過大になると、前記二個の端子６間のヒューズはショートし、断線する。これにより異常な電流は電子装置に流れず、電子装置保護の機能と効果を達成する。
上記現状のカットアウトは、電子装置保護の機能と効果を達成することができるが、前記カットアウトと前記連接台７を挿入接続する時、前記端子６だけにより前記筐体５部分を延伸し、露出し組立てを行うため、その挿入接続後の固定は十分でなく、前記カットアウトには揺れ動きの現象が発生する。これによりカットアウトは前記連接台７上に安定的に設置することができなくなる。しかも電流が過大で、前記二個の端子６間のヒューズがショートし断線した場合にも、警告表示通知の効果を達成することはできない。
【考案の開示】
【考案が解決しようとする課題】
【０００３】
本考案は上記構造の問題点を解決した断電警告表示効果を備えるカットアウトを提供するものである。
【課題を解決するための手段】
【０００４】
上記課題を解決するため、本考案は、下記の断電警告表示効果を備えるカットアウトを提供する。
【０００５】
本考案は、主に断電警告表示効果を備えるカットアウトを提供し、これにより前記カットアウトは安全ユニット上の二枚の導電板間の接合部を利用し、二極式発光ダイオードに対応した、断電警告表示の効果を備え、筐体により二枚の導電板の設置を対応させ、必要な装置上に安定的に固定、設置する機能と効果を達成する。
【０００６】
すなわち、本考案は断電警告表示効果を備えるカットアウトを提供し、それは上端に横板を備え、しかも前記横板両側縁中央位置にはそれぞれ側板を備える筐体を含み、
前記横板の中央位置には収納部を備え、前記収納部両側には、それぞれ位置決穴を備え、前記各側板の間には、前記収納部及び前記位置決穴と連通する嵌合溝を備え、
少なくとも二枚の導電板及び連接部を備える安全ユニットを含み、前記安全ユニットは、前記嵌合溝に設置後、前記各導電板の一部分は前記側板両側に露出し、しかも前記各導電板一端縁には前記位置決穴と対応し、挿入接続する凸状部を備え、前記凸状部に隣接する位置には相互に対応するピンを備え、前記各導電板の前記連接部と前記凸状部に隣接する位置にはそれぞれ固定用穴を備え、
前記収納部中に設置する二極式発光ダイオードを含み、前記二極式発光ダイオードの一面には前記収納部と対応する発光部を備え、反対面にはそれぞれ前記各ピンと連接する導通部を備える断電警告表示効果を備えるカットアウトを提供する。
【考案の効果】
【０００７】
上記のように、本考案の断電警告表示効果を備えるカットアウトは現状の様々な欠点の改善に有効で、これにより前記カットアウトは安全ユニット上の二枚の導電板間の接合部を利用し二極式発光ダイオードに対応し、断電警告表示の効果を備え、筐体により二枚の導電板の設置を対応させ、必要な装置上に安定的に固定、設置する機能と効果を達成することができる。
【考案を実施するための最良の形態】
【０００８】
本考案の分解状態を示す斜視図、本考案の外観を示す斜視図、本考案の回路図である図１、２、３に示すように、本考案断電警告表示効果を備えるカットアウトは筐体１、安全ユニット２及び二極式発光ダイオード３により構成し、カットアウトに断電警告表示の効果を備えさせることができ、必要な装置上に安定的に固定、設置する機能と効果を達成することができる。
【０００９】
上記の筐体１は、上端に横板１１を備え、前記横板１１の中央位置には収納部１１１を備える。前記収納部１１１の両側にはそれぞれ位置決穴１１２を備え、しかも前記横板１１一端面の両側縁中央位置にはそれぞれ対応し側板１２を設置し、これにより前記筐体１はややＴ字型を備える。前記各側板１２の間には前記収納部１１及び位置決穴１１２と連通する嵌合溝１２１を備え、前記横板１１と前記側板１２の周縁には延伸部１３を設置する。前記筐体１の全部或いは少なくとも収納部１１１部分は光透過材質である。
【００１０】
前記安全ユニット２は、少なくとも二枚の導電板２１、及び前記二枚の導電板２１に連接する連接部２２を備え、これにより前記安全ユニット２は上記筐体１の嵌合溝１２１に設置後、前記各導電板２１の一部は前記側板１２の両側に露出する。しかも前記各導電板２１の一端縁には前記位置決穴１１２と対応し、挿入する凸状部２３を備え、前記凸状部２３に隣接する適切な位置には相互に対応するピン２４を備える。前記各導電板２１において前記連接部２２と前記凸状部２３に隣接する適切な位置にはそれぞれ前記筐体１が設置する延伸部１３と対応する固定用穴２５、２６を備え、これにより前記筐体１と前記安全ユニット２は加熱圧接により結合する時、前記延伸部１３上のプラスチック材料はダイカストにより前記各固定用穴２５、２６中に嵌合される。
【００１１】
前記二極式発光ダイオード３（ＢＩＰＯＬＡＲ  ＬＥＤ）は、上記筐体１の収納部１１１中に設置し、しかも前記二極式発光ダイオード３の一面には前記収納部１１１と対応する発光部３１を備え、反対面にはそれぞれ前記各導電板２１が設置するピン２４と連接する導通部３２を備える。
うち、前記二極式発光ダイオード３中にはそれぞれ前記各導通部３２と前記ピン２４を接合する分圧抵抗器３３を備え、前記二極式発光ダイオード３はＳＭＤ封入の二極式発光ダイオードである。しかも前記二極式発光ダイオード３はウエハ上に極性の異なる二枚の導電層を生成するため、前記二極式発光ダイオード３は正極、負極を区分する必要がなく、前記各導電板２１と接合し、一個の導電層が導通可能な状態を隨時保持することができる。こうして上記の構造により全く新しい断電警告表示効果を備えるカットアウトを構成し、構造を簡単にし、製造を容易にする機能と効果を達成する。
【００１２】
本考案の組立て状態を示す斜視図、本考案組立て後の外観を示す斜視図、本考案組立て後の断面を示す斜視図である図４、５、６に示すように、本考案の運用時には、本考案のカットアウトを必要な電子装置の連接台４上に直接挿入設置し、設置時には、前記筐体１の側板１２及び前記側板１２両側に露出する導電板２１部分により、前記連接台４のスロット４１中に対応し、挿入設置する。こうして前記側板１２及び前記側板１２両側に露出する導電板２１部分は前記連接台４のスロット４１中に完全に埋め込まれた状態で設置され、前記横板１１部分だけが露出する。これにより前記導電板２１と前記連接台４は電気的接合を達成し、必要な装置上に安定的に固定、設置する機能と効果を達成することができる。
【００１３】
正常使用時には、前記電流は二枚の導電板２１及び連接部２２により回路を形成し、これにより電流は安全ユニット２を経由し必要な電子装置の使用に供される。電流が過大になると、前記連接部２２はショート切断し、二枚の導電板２１間は断線状態となる。これにより電流は前記二極式発光ダイオード３を流れ、こうして前記二極式発光ダイオード３の発光部３１は前記収納部１１１を透過する光を発し、電子装置回路異常の警告表示を行う。これにより安全ユニット２上の二枚の導電板間２１の接合部２２を利用し、二極式発光ダイオード３に対応し、断電警告表示の効果を備える。
【００１４】
本考案の断電警告表示効果を備えるカットアウトは、現状の様々な欠点の改善に有効で、これにより前記カットアウトは安全ユニット上の二枚の導電板間の接合部を利用し、二極式発光ダイオードに対応する、断電警告表示の効果を備え、筐体により二枚の導電板の設置を可能とし、必要な装置上に安定的に固定、設置する機能と効果を達成することができる。本考案は進歩性と実用性を備えているため、実用新案の申請要件に符合している。
【図面の簡単な説明】
【００１５】
【図１】本考案の分解状態を示す斜視図である。
【図２】本考案の外観を示す斜視図である。
【図３】本考案の回路図である。
【図４】本考案の組立て状態を示す斜視図である。
【図５】本考案組立て後の外観を示す斜視図である。
【図６】本考案組立て後の断面を示す斜視図である。
【図７】本考案に係る、従来技術の外観を示す斜視図である。
【符号の説明】
【００１６】
１  筐体
１１  横板
１１１  収納部
１１２  位置決穴
１２  側板
１２１  嵌合溝
１３  延伸部
２  安全ユニット
２１  導電板
２２  接合部
２３  凸状部
２４  ピン
２５、２６  固定用穴
３  二極式発光ダイオード
３１  発光部
３２  導通部
３３  分圧抵抗器
４  連接台
４１  スロット
５  筐体
６  端子
７  連接台
【図１】
0003135433.tif 000003
【図２】
0003135433.tif 000004
【図３】
0003135433.tif 000005
【図４】
0003135433.tif 000006
【図５】
0003135433.tif 000007
【図６】
0003135433.tif 000008
【図７】
0003135433.tif 000009